(57)【特許請求の範囲】
【請求項１】
複数チャネルの高周波テレビジョン信号を入力していずれか１つのチャネルのベースバンドテレビジョン信号を出力するチューナ、
前記ベースバンドテレビジョン信号を変調する変調手段、
前記変調手段によって変調された高周波テレビジョン信号をチューナ付き映像表示装置に出力する出力手段、
前記複数チャネルのうち無局であるべき所定チャネルの周波数を前記変調手段に設定する第１設定手段、
前記変調手段への周波数設定が完了した後に前記複数チャネルに含まれる有局チャネルをサーチしかつ前記チューナにプリセットするプリセット手段、および
前記複数チャネルのうち無局であるべき所定複数チャネルについて有局／無局を判別する判別手段を備え、
前記第１設定手段は前記判別手段の判別結果に基づいて前記所定複数チャネルのいずれか１つの周波数を設定し、さらに
前記所定複数チャネルのいずれも無局と判別されないとき前記所定複数チャネルのチャネル番号を所定時間毎に選択的に表示する第１表示手段、
前記所定複数チャネルのいずれかを選択する選択手段、
前記選択手段によって選択されたチャネルの周波数を前記変調手段に設定する第２設定手段、および
前記変調手段に設定された周波数のチャネル番号を表示する第２表示手段を備える、チューナ付き映像記録再生装置。
【請求項２】
前記変調手段への周波数設定が完了した後に有効化されるかつ前記プリセットの中止を指示する指示手段、
前記指示手段に指示に応答して前記プリセット手段を不能化する不能化手段をさらに備える、請求項１記載のチューナ付き映像記録再生装置。
【請求項３】
キャラクタ信号を発生する発生手段、
前記キャラクタ信号をベースバンドテレビジョン信号に合成する合成手段、および
前記所定複数チャネルの周波数を前記変調手段に所定時間毎に選択的に設定する第３設定手段をさらに備える、請求項１記載のチューナ付き映像記録再生装置。
【請求項４】
前記第３設定手段によって設定された周波数に関連するキャラクタ信号を発生するように前記発生手段を制御する制御手段をさらに備える、請求項３記載のチューナ付き映像記録再生装置。
【請求項５】
前記第３設定手段によって設定された周波数のチャネル番号を表示する第３表示手段をさらに備える、請求項３または４記載のチューナ付き映像記録再生装置。
【発明の詳細な説明】
【０００１】
【産業上の利用分野】
この発明は、チューナ付き映像記録再生装置に関し、特にたとえば、チューナから出力されたテレビジョン信号（ベースバンド信号）を所定チャネルの周波数で再度変調し、変調されたテレビジョン信号（高周波信号）をテレビジョン受像機のようなチューナ付き映像モニタに出力する、チューナ付き映像記録再生装置に関する。
【０００２】
【従来の技術】
チューナ付き映像記録再生装置の一例であるＶＴＲ（Video Tape Recorder）には、テレビジョン受像機のＡＮＴ入力端子と接続するためのＲＦ出力端子が設けられている。ＶＴＲのチューナで選局されたチャネルのテレビジョン信号（ベースバンド信号）をこのＲＦ出力端子を介してテレビジョン受像機に入力する場合、このテレビジョン信号は、変調回路によってベースバンド信号から高周波信号に変調される。このとき、変調周波数がＣＨ３の周波数に設定されていれば、テレビジョン受像機の受信チャネルを同じＣＨ３に設定したときに、ＶＴＲ側のチューナによって選局されたチャネルの放送映像がＴＶ画面に表示される。また、変調周波数がＣＨ４の周波数に設定されていれば、テレビジョン受像機の受信チャネルをＣＨ４に設定したときに、ＶＴＲ側のチューナによって選局されたチャネルの放送映像がＴＶ画面に表示される。
【０００３】
なお、以上の説明は、ＣＨ３およびＣＨ４が空きチャネル（無局チャネル）であり、変調周波数がＶＴＲの背面に設けられたメカニカルスイッチによって選択されることを前提としている。
【０００４】
このようなＶＴＲにおいて、内蔵されたチューナに有局チャネルをプリセットするとき、オペレータは次のような操作をしていた。まず、テレビジョン受像機の受信チャネルをＣＨ３またはＣＨ４に設定し、次にＶＴＲのメカニカルスイッチを操作して変調周波数を上記の受信チャネルに対応する周波数に設定する。これによって、チューナプリセットモードを含むメニュー画面が、テレビジョン受像機に表示される。ここでオペレータがチューナプリセットモードを選択すると、プリセット処理が開始され、有局チャネルの周波数がチューナにプリセットされる。
【０００５】
【発明が解決しようとする課題】
しかし、このような従来技術では、メカニカルスイッチの操作が必要であり、オペレータにとって煩わしかった。
【０００６】
それゆえに、この発明の主たる目的は、変調周波数を設定する手間を省くことができる、チューナ付き映像記録再生装置を提供することである。
【０００７】
【課題を解決するための手段】
この発明は、複数チャネルの高周波テレビジョン信号を入力していずれか１つのチャネルのベースバンドテレビジョン信号を出力するチューナ、ベースバンドテレビジョン信号を変調する変調手段、変調手段によって変調された高周波テレビジョン信号を映像表示装置に出力する出力手段、複数チャネルのうち無局であるべき所定チャネルの周波数を変調手段に設定する第１設定手段、変調手段への周波数設定が完了した後に複数チャネルに含まれる有局チャネルをサーチしかつ前記チューナにプリセットするプリセット手段、および複数チャネルのうち無局であるべき所定複数チャネルについて有局／無局を判別する判別手段を備え、第１設定手段は判別手段の判別結果に基づいて所定複数チャネルのいずれか１つの周波数を設定し、さらに所定複数チャネルのいずれも無局と判別されないとき所定複数チャネルのチャネル番号を所定時間毎に選択的に表示する第１表示手段、所定複数チャネルのいずれかを選択する選択手段、選択手段によって選択されたチャネルの周波数を変調手段に設定する第２設定手段、および変調手段に設定された周波数のチャネル番号を表示する第２表示手段を備える、チューナ付き映像記録再生装置である。
【０００８】
【作用】
複数チャネルのうち無局であるべき所定チャネルの周波数が、第１設定手段によって変調手段に設定される。変調手段への周波数設定が完了すると、上記の複数チャネルに含まれる有局チャネルが、プリセット手段によってサーチされかつチューナにプリセットされる。チューナによって選局されたチャネルのベースバンドテレビジョン信号は、変調手段において無局チャネルの周波数で変調される。そして、変調された高周波テレビジョン信号が、出力手段によって映像表示装置に出力される。
【０００９】
この発明のある局面では、変調手段への周波数設定が完了した後に指示手段によってプリセットの中止が指示されると、プリセット手段が不能化手段によって不能化される。
【００１０】
この発明の他の局面では、判別手段が、複数チャネルのうち無局であるべき所定複数チャネルについて有局／無局を判別する。第１設定手段は、このような判別手段の判別結果に基づいて、この所定複数チャネルのいずれか１つの周波数を変調手段に設定する。
【００１１】
この発明のある実施例では、所定複数チャネルのいずれも無局と判別されないとき、上記の所定複数チャネルのチャネル番号が、第１表示手段によって所定時間毎に選択的に表示される。ここで選択手段が所定複数チャネルのいずれかを選択すると、選択されたチャネルの周波数が第２設定手段によって変調手段に設定される。この発明の他の実施例では、変調手段に周波数が設定されると、その周波数のチャネル番号が、第２表示手段によって表示される。
【００１２】
この発明のその他の局面では、発生手段によってキャラクタ信号が発生され、発生されたキャラクタ信号は、合成手段によってベースバンドテレビジョン信号に合成される。第３設定手段は、上記の所定複数チャネルの周波数を変調手段に所定時間毎に選択的に設定する。このため、キャラクタ信号が合成されたベースバンドテレビジョン信号は、所定複数チャネルの周波数によって変調される。
【００１３】
この発明のある実施例では、第３設定手段によって設定された周波数に関連するキャラクタ信号を発生するように、発生手段が制御手段によって制御される。このため、チューナ付き映像表示装置で表示されるキャラクタは、チャネルによって異なる。この発明の他の実施例では、第３設定手段によって設定された周波数のチャネル番号が、第３表示手段によって表示される。
【００１４】
【発明の効果】
この発明によれば、複数チャネルのうち無局であるべき所定チャネルの周波数が第１設定手段によって変調手段に設定されるため、変調周波数を設定する手間を極力省くことができる。
【００１５】
この発明の上述の目的，その他の目的，特徴および利点は、図面を参照して行う以下の実施例の詳細な説明から一層明らかとなろう。
【００１６】
【実施例】
図１を参照して、この実施例のＶＴＲ１０は、ＣＡＴＶチューナ（図示せず）から出力されたテレビジョン信号（ベースバンド信号）を入力するＡＶ入力端子１２、アンテナ２８によって受信された複数チャネルのテレビジョン信号（高周波信号）を入力するＡＮＴ入力端子１４、およびテレビジョン信号（高周波信号）を出力するＲＦ出力端子１６を含む。
【００１７】
オペレータが、ＣＡＴＶ放送の番組をテレビジョン受像機３０で視聴すべく、リモートコントロール装置３４のメニューボタン３４ｄによってＣＡＴＶモードを選択すると、スイッチＳＷ２が端子Ｓ３と接続される。これによって、ＡＶ入力端子１２から入力されたＣＡＴＶ放送のテレビジョン信号が、スイッチＳＷ２を介してビデオブロック１８に取り込まれる。ビデオブロック１８は、取り込んだテレビジョン信号をそのままＲＦ変調回路２２に出力する。ＲＦ変調回路２２には、米国におけるテレビジョン放送チャネルのうち、ＣＨ３またはＣＨ４（いずれも無局チャネル）の周波数が設定される。このため、ビデオブロック１８から出力されたテレビジョン信号（ベースバンド信号）は、ＣＨ３またはＣＨ４の周波数によって変調される。ＣＡＴＶ放送番組の視聴時、スイッチＳＷ１は端子Ｓ２と接続され、この結果、ＲＦ変調回路２２によって変調されたテレビジョン信号（高周波信号）が、ＲＦ出力端子１６から出力される。
【００１８】
テレビジョン受像機３０は、ＲＦ出力端子１６から出力されたテレビジョン信号をＡＮＴ入力端子３２を通して取り込む。このため、テレビジョン受像機３０のチューナ回路（図示せず）をＣＨ３またはＣＨ４に設定すれば、取り込んだテレビジョン信号に対応する映像（ＣＡＴＶ放送番組）がＴＶ画面に表示される。つまり、ＲＦ変調回路２２にＣＨ３の周波数が設定されていれば、チューナ回路にＣＨ３を設定したときにＣＡＴＶ放送番組がＴＶ画面に表示され、ＲＦ変調回路２２にＣＨ４の周波数が設定されていれば、チューナ回路にＣＨ４を設定したときにＣＡＴＶ放送番組がＴＶ画面に表示される。
【００１９】
オペレータが、メニューボタン３４ｄによってＴＶモードを選択すると、スイッチＳＷ１が端子Ｓ１と接続される。アンテナ２８で受信された複数チャネルのテレビジョン信号（高周波信号）は、ＡＮＴ入力端子１４およびスイッチＳＷ１を介して、そのままＲＦ出力端子１６から出力される。このため、テレビジョン受像機３０側のチューナ回路に所望のチャネルをセットすれば、セットされたチャネルで放送されている番組がＴＶ画面に表示される。
【００２０】
一方、オペレータがメニューボタン３４ｄによってＶＴＲモードを選択すると、スイッチＳＷ１が端子Ｓ２と接続され、スイッチＳＷ２が端子Ｓ４と接続される。このため、アンテナ２８で受信された複数チャネルのテレビジョン信号は次のような処理を施される。まず、チューナ回路２０に所望のチャネル周波数を設定することで、その周波数で放送されているテレビジョン信号が選択され、かつベースバンドに復調される。復調されたテレビジョン信号は、スイッチＳＷ２を介してビデオブロック１８に取り込まれる。
【００２１】
ビデオブロック１８は、上述と同様に、取り込んだテレビジョン信号をそのままＲＦ変調回路２２に出力し、ＲＦ変調回路２２は、入力されたテレビジョン信号をＣＨ３またはＣＨ４の周波数で変調する。スイッチＳＷ１は端子Ｓ２と接続されているため、ＲＦ変調回路２２から出力されたテレビジョン信号（高周波信号）は、ＲＦ出力端子１６からテレビジョン受像機３０に出力される。このため、テレビジョン受像機３０側のチューナ回路にＣＨ３またはＣＨ４（ＲＦ変調回路２２と同じ周波数）をセットすれば、所望の放送番組がＴＶ画面に表示される。
【００２２】
ＶＴＲモードにおいてオペレータが再生ボタン３４ｅを押せば、ビデオカセット（図示せず）に記録されたテレビジョン信号がビデオブロック１８によって再生される。再生されたテレビジョン信号は、上述と同様にＲＦ変調回路２２を介してテレビジョン受像機に出力される。このため、テレビジョン受像機３０側のチューナ回路にＣＨ３またはＣＨ４をセットすることで、ビデオカセットから再生された映像がＴＶ画面に表示される。
【００２３】
ＲＦ変調回路２２の変調周波数は、マイコン２４によって設定される。つまり、ＶＴＲ１０の電源が購入後に初めて投入されたとき、あるいはマイコン２４の電源のバックアップが切れ、設定情報がクリアされたとき、マイコン２４が図２および図３に示すフロー図を処理する。これによって、ＣＨ３またはＣＨ４の放送チャネルに対応する周波数がＲＦ変調回路２２に設定される。
【００２４】
図２を参照して、マイコン２４はまずステップＳ１で初期化を行ない、次にステップＳ３でＣＨ３／ＣＨ４セッティング処理を行なう。これによってＣＨ３またはＣＨ４の周波数がＲＦ変調回路２２に設定されると、マイコン２４はステップＳ５に進み、図４に示すようなチャネル設定の完了を示す案内をＴＶ画面にＯＳＤ表示する。このようなＯＳＤ表示は、対応するキャラクタ信号の発生をキャラクタジェネレータ１９に指示し、発生したキャラクタ信号をスイッチＳＷ３によってテレビジョン信号に重畳（合成）し、そしてテレビジョン受像機３０側のチューナ回路にＲＦ変調回路２２と同じ周波数をセットすることで可能となる。
【００２５】
ここで、オペレータがリモートコントロール装置３４のセットボタン３４ｃを押せば、マイコン２４はステップＳ７以降の処理を開始する。ステップＳ７では言語選択処理を行ない、ステップＳ９ではチューナプリセット処理を行なう。言語選択処理とは、ＴＶ画面にＯＳＤ表示する案内を予め準備された複数の言語の中から選択する処理である。チューナプリセット処理とは、所定周波数帯域に設けられた複数の放送チャネルの中から、実際にテレビジョン信号が放送されている有局チャネルをサーチし、その有局チャネルのチャネル情報をＥＥＰＲＯＭのような記憶素子にセーブする処理であり、これによってチューナ回路２０における速やかな選局が可能となる。なお、ＥＥＰＲＯＭは、チューナ回路２０内，マイコン２４内あるいはマイコン２４の外側に設けられる。
【００２６】
一方、図４に示す案内がＴＶ画面に表示されているときにオペレータがメニューボタン３４ｄを押せば、マイコン２４はステップＳ７以降の処理を中止し、速やかにＴＶモードに移行する。この結果、スイッチＳＷ１を端子Ｓ１に接続され、テレビジョン受像機３０側で所望のチャネルを選択すれば、選択されたチャネルで放送されている番組がＴＶ画面に表示される。
【００２７】
マイコン２４は、ステップＳ３において図３に示すサブルーチンを処理する。まずステップＳ１１で “ＲＦ ＣＨ”のキャラクタをＦＬＤ（FLuorescent Display）２６に表示し、次にステップＳ１３でチューナ回路２０にＣＨ３の周波数をセットする。ステップＳ１５では、チューナ回路２０の出力を取り込み、ＣＨ３が有局チャネルであるかどうか判断する。そして、無局チャネルであればステップＳ２７に進み、有局チャネルであればステップＳ１７に進む。
【００２８】
ステップＳ２７に進んだとき、マイコン２４はこのステップでＣＨ３の周波数をＲＦ変調回路２２に設定し、続くステップＳ２９で“ＣＨ３”をＦＬＤ（FLuorescent Display）２６に表示する。そして、図２に示すメインルーチンに復帰する。一方、ステップＳ１７に進んだときは、チューナ回路２０にＣＨ４の周波数をセットし、続いてステップＳ１９で、チューナ回路２０の出力に基づいてＣＨ４が有局チャネルであるかどうかを判別する。ＣＨ４が無局チャネルであれば、ステップＳ３１でＣＨ４の周波数をＲＦ変調回路２２に設定し、続くステップＳ３３で“ＣＨ４”をＦＬＤ２６に表示する。そして、図２に示すメインルーチンに復帰する
ステップＳ１９でＣＨ４が有局チャネルと判断された場合、マイコン２４はステップＳ２１に進み、ＦＬＤ２６に“ＣＨ３”および“ＣＨ４”をたとえば１秒毎に交互に表示する。そして、ステップＳ２３およびＳ２５でＣＨ３およびＣＨ４のいずれが選択されたかを判断する。オペレータが下向きのカーソルボタン３４ｂを押せば、マイコン２４はＣＨ３が選択されたと判断し、ステップＳ２３からステップＳ２７に進む。一方、オペレータが上向きのカーソルボタン３４ａを押せば、マイコン２４はＣＨ４が選択されたと判断し、ステップＳ２５からステップＳ２７に進む。カーソルボタン３４ａおよび３４ｂのいずれも押されなければ、マイコン２４はステップＳ２１に戻る。
【００２９】
図３の処理によれば、ＣＨ３およびＣＨ４の両方あるいはＣＨ３が無局チャネルであれば、ＣＨ３の周波数が自動的にＲＦ変調回路２２にセットされる。ＣＨ３が有局チャネルでＣＨ４が無局チャネルであれば、ＣＨ４の周波数が自動的にＲＦ変調回路２２にセットされる。ＣＨ３およびＣＨ４のいずれもが有局チャネルであれば、オペレータの指示に応じてＣＨ３およびＣＨ４のいずれかの周波数がＲＦ変調回路２２にセットされる。ＲＦ変調回路２２にいずれかの周波数がセットされると、対応するチャネルのキャラクタがＦＬＤ２６に表示される。さらに、ＦＬＤ２６に表示されたチャネルと同じチャネルをテレビジョン受像機３０側のチューナ回路にセットすることで、図４に示すキャラクタがＴＶ画面にＯＳＤ表示される。
【００３０】
この実施例では、米国において通常無局とされるＣＨ３およびＣＨ４について有局／無局の判別処理が行なわれ、無局と判別されたチャネルの周波数がＲＦ変調回路に自動的に設定される。また、いずれも有局と判別された場合に限り、オペレータのマニュアル操作によって周波数が設定される。したがって、変調周波数を設定する手間を極力省くことができる。また、ＲＦ変調回路に設定されたチャネル番号がＦＬＤ表示されるため、オペレータはいずれのチャネルがＲＦ変調回路に設定されたかを容易に知ることができる。さらに、図２から分かるように、チューナプリセット処理に先立ってＣＨ３／ＣＨ４セッティング処理が行なわれる。このため、ＶＴＲを再生専用機としてしか用いない場合、つまりチューナプリセット処理を必要としない場合に、図２の処理を短時間で終了させることができる。このような効果は、有局チャネルの数が多い程、顕著に現れる。
【００３１】
図５を参照して、他の実施例のＶＴＲ１０は、ＦＬＤが設けられていない点、および図２のステップＳ３において図６および図７に示すフロー図が処理される点を除き、図１実施例と同様である。このため、重複した説明をできるだけ省略する。
【００３２】
図６を参照して、マイコン２４は、まずステップＳ４１でチューナ回路２０にＣＨ３の周波数をセットし、ステップＳ４３でＣＨ３が有局であるかどうかを判別する。ここでＣＨ３が無局であれば、マイコン２４はステップＳ４５でＣＨ４の周波数をチューナ回路２０にセットし、ステップＳ４７でＣＨ４について有局／無局の判別をする。ＣＨ４が有局であれば、マイコン２４はステップＳ４８でスイッチＳＷ１を端子Ｓ２に接続し、ステップＳ４９でＣＨ３の周波数をＲＦ変調回路２２にセットし、続くステップＳ５１で図８に示すキャラクタ（ＣＨ３の周波数をＲＦ変調回路２２に設定する旨の案内）をＴＶ画面にＯＳＤ表示する。ステップＳ５１では、図８のキャラクタに対応するキャラクタ信号をキャラクタジェネレータ１９に出力させ、かつスイッチＳＷ３を制御してキャラクタ信号をテレビジョン信号に重畳する。その後、ステップＳ６３でセットボタン３４ｃが押されたかどうか判断し、ＹＥＳであれば図２に示すメインルーチンに復帰する。なお、ステップＳ４７でＣＨ４が無局であると判断されると、マイコン２４はステップＳ６１に進む。
【００３３】
ステップＳ４３でＣＨ３が有局と判断されたとき、マイコン２４は、ステップＳ５３およびＳ５５で上述のステップＳ４５およびＳ４７と同様の処理を行なう。そして、ステップＳ５５でＮＯであれば、ステップＳ５７でＣＨ４の周波数をＲＦ変調回路２２にセットし、ステップＳ５８でスイッチＳＷ１を端子Ｓ２に接続し、ステップＳ５９で図９に示すキャラクタ（ＣＨ４の周波数をＲＦ変調回路２２に設定する旨の案内）をＴＶ画面にＯＳＤ表示する。ステップＳ５９では、上述と同様に、図９のキャラクタに対応するキャラクタ信号をキャラクタジェネレータ１９に出力させ、かつスイッチＳＷ３を制御してキャラクタ信号をテレビジョン信号に重畳する。そして、ステップＳ６３に進む。オペレータがセットボタン３４ｃを押せば、メインルーチンに復帰する。なお、ステップＳ５５でＹＥＳであれば、ステップＳ４７でＮＯと判断された場合と同様に、ステップＳ６１に進む。
【００３４】
ステップＳ６１では、図７に示すサブルーチンを処理する。マイコン２４はまず、ステップＳ１０１でスイッチＳＷ１を端子Ｓ２に接続し、ステップＳ１０３で現時点においてＲＦ変調回路２２に設定されている周波数を判別する。この周波数がＣＨ３に対応するものであれば、マイコン２４はステップＳ１０５に進み、周波数がＣＨ４に対応するものであれば、マイコン２４はステップＳ１１９に進む。
【００３５】
ステップＳ１０５では、カウンタ２４ａのカウント値Ｔを“３”に設定する。続くステップＳ１０７では、ＣＨ３の周波数をＲＦ変調回路２２に設定し、ステップＳ１０９では図１０に示すキャラクタ（ＲＦ変調回路にＣＨ３の周波数が設定されている旨の案内）をＴＶ画面にＯＳＤ表示する。ここでオペレータがＣＨ３を選択すれば、つまり下向きのカーソルキー３４ｂを押せば、マイコン２４はステップＳ１１１でＹＥＳと判断し、ステップＳ５１に戻る。一方、オペレータがＣＨ４を選択すれば、つまり上向きのカーソルキー３４ａを押せば、マイコン２４はステップＳ１１３でＹＥＳと判断し、ステップＳ１１９に進む。オペレータがＣＨ３およびＣＨ４のいずれも選択しなければ、マイコン２４はステップＳ１１５でカウンタ２４ａをディクリメントし、ステップＳ１１７でカウント値Ｔが“０”となったかどうか判断する。そして、ＮＯであればステップＳ１０９に戻るが、ＹＥＳであればステップＳ１１９に進む。
【００３６】
ステップＳ１１９では、ステップＳ１０５と同様に、カウンタ２４ａのカウント値Ｔを“３”に設定する。マイコン２４は続いて、ステップＳ１２１でＣＨ４の周波数をＲＦ変調回路２２に設定し、ステップＳ１２１で図１１に示すキャラクタ（ＲＦ変調回路にＣＨ４の周波数が設定されている旨の案内）をＴＶ画面にＯＳＤ表示する。ここでオペレータがＣＨ４を選択すれば、マイコン２４はステップＳ１２５でＹＥＳと判断し、ステップＳ５９に戻る。一方、オペレータがＣＨ３を選択すれば、マイコン２４はステップＳ１２７でＹＥＳと判断し、ステップＳ１０５に戻る。オペレータがＣＨ３およびＣＨ４のいずれも選択しなければ、マイコン２４はステップＳ１２９でカウンタ２４ａをディクリメントし、ステップＳ１３１でカウント値Ｔが“０”となったかどうか判断する。そして、ＮＯであればステップＳ１２３に戻り、ＹＥＳであればステップＳ１０５に戻る。
【００３７】
このように、図１０に示すキャラクタが表示された状態では、カウント値Ｔが“０”となるまでカーソルキー３４ｂが押されなかったときに、処理がステップＳ１１９に移行する。図１１に示すキャラクタが表示された状態でも、カウント値Ｔが“０”となるまでカーソルキー３４ａが押さなかったときに、処理がステップＳ１０５に戻る。つまり、ステップＳ１１１でＹＥＳと判断されるか、あるいはステップＳ１２５でＹＥＳと判断されない限り、ステップＳ１０５〜Ｓ１１７の処理とステップＳ１１９〜Ｓ１３１の処理とが交互に実行される。
【００３８】
したがって、オペレータがテレビジョン受像機３０側のチューナ回路にＣＨ３をセットしていれば、図１０に示すキャラクタがＴＶ画面に間欠的にＯＳＤ表示され、オペレータが同じチューナ回路にＣＨ４をセットしていれば、図１１に示すキャラクタがＴＶ画面に間欠的にＯＳＤ表示される。
【００３９】
この実施例によれば、ＶＴＲにＦＬＤが設けられていないが、チャネルセッティングの案内がＴＶ画面にＯＳＤ表示されるため、オペレータはどのチャネルの周波数がＲＦ変調回路に設定されたかを容易に認識できる。また、マニュアルセッティングのときは、同様の案内が間欠的にＣＨ３およびＣＨ４の画面に表示されるため、テレビジョン受像機側の受信チャネルをＣＨ３およびＣＨ４のいずれに設定しているときでも、案内に従ってチャネル設定を行なえる。
【００４０】
図１２を参照して、その他の実施例のＶＴＲ１０は、図１実施例と同様にＦＬＤ２６を備えるが、マイコン２４は図１３および図１４に示すフロー図を処理する。ただし、図１３および図１４から分かるように、ステップＳ８１では図８に示すキャラクタのＯＳＤ表示に加えて“ＣＨ３”のキャラクタがＦＬＤ２６に表示され、ステップＳ８９では図９に示すキャラクタのＯＳＤ表示に加えて“ＣＨ４”のキャラクタがＦＬＤ２６に表示される。また、ステップＳ２０９では図１０に示すキャラクタのＯＳＤ表示に加えて“ＣＨ３”のキャラクタがＦＬＤ２６に表示され、ステップＳ２２３では図１１に示すキャラクタのＯＳＤ表示に加えて“ＣＨ４”のキャラクタがＦＬＤ２６に表示される。
【００４１】
この実施例では、ＦＬＤ表示およびＯＳＤ表示を併用するようにしたため、オペレータの操作がより一層容易になる。
【００４２】
なお、以上のＶＴＲは、米国において使用されることを前提に説明しており、日本での使用を想定したときは、ＣＨ１およびＣＨ２のいずれかの周波数がＲＦ変調回路に設定される。
【図面の簡単な説明】
【図１】この発明の一実施例を示すブロック図である。
【図２】図１実施例の動作の一部を示すフロー図である。
【図３】図１実施例の動作の他の一部を示すフロー図である。
【図４】ＴＶ画面に表示されるキャラクタの一例を示す図解図である。
【図５】この発明の他の実施例を示すブロック図である。
【図６】図５実施例の動作の一部を示すフロー図である。
【図７】図５実施例の動作の他の一部を示すフロー図である。
【図８】ＴＶ画面に表示されるキャラクタの一例を示す図解図である。
【図９】ＴＶ画面に表示されるキャラクタの他の一例を示す図解図である。
【図１０】ＴＶ画面に表示されるキャラクタのその他の一例を示す図解図である。
【図１１】ＴＶ画面に表示されるキャラクタのさらにその他の一例を示す図解図である。
【図１２】この発明のその他の実施例を示すブロック図である。
【図１３】図１２実施例の動作の一部を示すフロー図である。
【図１４】図１２実施例の動作の他の一部を示すフロー図である。
【符号の説明】
１０…ＶＴＲ
１８…ビデオブロック
２０…チューナ回路
２２…ＲＦ変調回路
２４…マイコン
３０…テレビジョン受像機
【図１】
0003668065.tif 000002
【図２】
0003668065.tif 000003
【図３】
0003668065.tif 000004
【図４】
0003668065.tif 000005
【図５】
0003668065.tif 000006
【図６】
0003668065.tif 000007
【図７】
0003668065.tif 000008
【図８】
0003668065.tif 000009
【図９】
0003668065.tif 000010
【図１０】
0003668065.tif 000011
【図１１】
0003668065.tif 000012
【図１２】
0003668065.tif 000013
【図１３】
0003668065.tif 000014
【図１４】
0003668065.tif 000015